(57)【要約】【課題】増大・複雑化する設定項目の設定を、まとめて簡単に行えるようにする。【解決手段】映像データに基づいて映像信号を再生するＢＤプレーヤー１０において、外部メモリー２０を着脱可能な着脱口１３と、着脱口１３に装着された外部メモリー２０に記憶された設定ファイルＳＦに登録されている映像再生に関する複数の設定値をＢＤプレーヤー１０に設定する設定適用部Ｍ２と、上記設定値に基づいてＢＤプレーヤー１０の映像再生を制御する制御部１１と、を備える。【選択図】図４
2011114412.tif 000002
【特許請求の範囲】
【請求項１】
映像データに基づいて映像信号を再生する映像再生装置において、
外部メモリーを着脱可能な着脱口と、
該着脱口に装着された上記外部メモリーに記憶された設定ファイルに登録されている映像再生に関する複数の設定値を該映像再生装置に設定する設定適用部と、
上記設定値に基づいて該映像再生装置の映像再生を制御する制御部と、
を備えることを特徴とする映像再生装置。
【請求項２】
上記映像再生装置は、ネットワーク上のコンテンツサーバーからコンテンツデータを取得するコンテンツ取得部を備えており、
上記複数の設定値は、上記ネットワークにおける上記コンテンツサーバーの所在を示す情報を含んで構成される請求項１に記載の映像再生装置。
【請求項３】
上記映像再生装置は、文字や数字を入力するための操作入力部として、カーソル移動キーとカーソル決定キーのみを備えている請求項１または請求項２に記載の映像再生装置。
【請求項４】
映像データに基づいて映像信号を再生する映像再生装置に対してネットワーク端末を用いて映像再生に関する複数の設定項目の設定を行う映像再生システムにおいて、
上記情報処理端末は、外部メモリーを着脱可能な第一着脱口と、上記複数の設定項目のテンプレートを表示する表示部と、上記テンプレートの各設定項目に所望の設定値を設定する操作を受付ける操作入力部と、上記テンプレートに設定された複数の設定値を含む設定ファイルを作成して上記外部メモリーに記憶させる設定ファイル作成部と、を備え、
上記映像再生装置は、上記外部メモリーを着脱可能な第二着脱口と、該第二着脱口に装着された外部メモリーに記憶された設定ファイルに登録されている映像再生に関する複数の設定値を該映像再生装置に設定する設定適用部と、上記設定値に基づいて該映像再生装置の映像再生を制御する制御部と、を備えることを特徴とする映像再生システム。
【請求項５】
上記情報処理端末は、ネットワーク上でテンプレートを記憶しているテンプレートサーバーから上記テンプレートを取得するテンプレート取得部を備えている請求項４に記載の映像再生システム。
【請求項６】
上記映像再生装置は、上記テンプレートを記憶している記憶媒体と上記第二着脱口に装着された外部メモリーに対して上記記憶媒体に記憶されているテンプレートを記憶させるテンプレート保存部とを備えており、
上記情報処理端末は、上記第一着脱口に装着された外部メモリーから上記テンプレートを取得するテンプレート取得部を備えており、該テンプレート取得部の取得したテンプレートを上記表示部が表示する請求項４または請求項５に記載の映像再生システム。
【発明の詳細な説明】
【技術分野】
【０００１】
本発明は、映像再生装置および映像再生システムに関し、特に、映像データに基づいて映像信号を再生する映像再生装置および映像データに基づいて映像信号を再生する映像再生装置に対してネットワーク端末を用いて映像再生に関する複数の設定項目の設定を行う映像再生システムに関する。
【背景技術】
【０００２】
従来、映像機器の多機能化に伴って設定項目数は増大する傾向にあり、ユーザーの行う設定を容易にするための様々な工夫が行われている（例えば特許文献１〜４参照）。
【先行技術文献】
【特許文献】
【０００３】
【特許文献１】特開２００２−２８１４２８号公報
【特許文献２】特開２００１−１９７３８４号公報
【特許文献３】特開２０００−１２３５５８号公報
【特許文献４】実開昭６２−２０１８５９号公報
【発明の概要】
【発明が解決しようとする課題】
【０００４】
しかしながら、デジタルテレビ放送やオンデマンド放送の登場に伴ってインターネット等のネットワークとの連携が開始され、またブルーレイディスクやハードディスクなどの大容量記憶媒体を利用した映像再生機器が登場したことにより、映像機器はさらに多機能かつ高機能化しつつある。多機能化すると設定項目数は増加するし、高機能化すると新たな設定項目が追加される。
【０００５】
例えば、従来であれば、複数の選択肢の中から所望の設定値を選択することにより大方の設定値の設定が可能であったが、ネットワーク機能が追加されたことによりＩＰアドレスやドメインネームの入力を行わなければならなくなったため、図５に示すように文字列や数字の入力が必要になってきた。このような数字や文字列を、矢印キーと決定キーのみで設定するのは煩雑であり、ユーザーの混乱を招き、サポートセンターに対するクレーム数の増大にも繋がる。従って、複数の設定項目をまとめて設定できるようにしたり、設定項目を取捨選択して減少させたりするだけでは、設定におけるユーザーの負担を減少することが出来なくなってきている。
【０００６】
その一方で、リモコンなどの操作入力機器のキー数を少なくして欲しいという要望や、各映像機器のリモコンの操作性を統一して欲しいという要望もある。従って、設定項目を設定するために操作入力機器に特殊なキーを追加することも難しい。
以上のような状況において、設定項目を容易且つ迅速に設定するための画期的な手法が待ち望まれていた。
【０００７】
本発明は上記課題に鑑みてなされたものであり、増大・複雑化する設定項目の設定を、まとめて簡単に行える映像再生装置および映像再生システムの提供を目的とする。
【課題を解決するための手段】
【０００８】
上記課題を解決するために、本発明にかかる映像再生装置では、映像データに基づいて映像信号を再生する映像再生装置において、外部メモリーを着脱可能な着脱口と、該着脱口に装着された上記外部メモリーに記憶された設定ファイルに登録されている映像再生に関する複数の設定値を該映像再生装置に設定する設定適用部と、上記設定値に基づいて該映像再生装置の映像再生を制御する制御部と、を備える構成としてある。該構成によれば、外部メモリーを着脱口に接続し、外部メモリーに記憶された設定ファイルに登録されている設定値を適用するだけで、設定を完了することが可能になる。よって、増大・複雑化する設定項目の設定をまとめて簡単に行えるようになる。
【０００９】
また、本発明の選択的な一態様として、上記映像再生装置は、ネットワーク上のコンテンツサーバーからコンテンツデータを取得するコンテンツ取得部を備えており、上記複数の設定値は、上記ネットワークにおける上記コンテンツサーバーの所在を示す情報を含んで構成されるようにしてもよい。該構成によれば、入力が特に煩雑なネットワーク設定に関する設定値の設定を、容易かつ迅速に行えるようになる。
【００１０】
また、本発明の選択的な一態様として、上記映像再生装置は、文字や数字を入力するための操作入力部として、カーソル移動キーとカーソル決定キーのみを備えているようにしてもよい。該構成によれば、操作入力手段が低機能な映像再生機器に対しても簡単かつ迅速に設定値の設定が行えるようになる。
【００１１】
さらに、本発明を、上記映像再生装置を含む映像再生システムとして構成した場合の一態様として、入力される映像データに基づいて映像信号を再生する映像再生装置に対し、ネットワーク端末を用いて映像再生に関する複数の設定項目の設定を行う映像再生システムにおいて、上記ネットワーク端末は、外部メモリーを着脱可能な着脱口と、上記複数の設定項目のテンプレートを表示する表示部と、上記テンプレートの各設定項目に所望の設定値を設定する操作を受付ける操作入力部と、上記テンプレートに設定された複数の設定値を含む設定ファイルを作成して上記外部メモリーに記憶させる設定ファイル作成部と、を備え、上記映像再生装置は、上記外部メモリーを着脱可能な着脱口と、該着脱口に装着された外部メモリーに記憶された設定ファイルに登録されている映像再生に関する複数の設定値を該映像再生装置に設定する設定適用部と、上記設定値に基づいて該映像再生装置の映像再生を制御する制御部と、を備える構成としてもよい。
【００１２】
また、本発明の選択的な一態様として、上記ネットワーク端末は、ネットワーク上でテンプレートを記憶しているテンプレートサーバーから上記テンプレートを取得するテンプレート取得部を備えている構成としてもよい。該構成によれば、テンプレートサーバー上のテンプレートを管理することで、最新のテンプレートを常に供給できるようになる。
【００１３】
また、本発明の選択的な一態様として、上記映像再生装置は、上記テンプレートを記憶している記憶媒体と上記第二着脱口に装着された外部メモリーに対して上記記憶媒体に記憶されているテンプレートを記憶させるテンプレート保存部とを備えており、上記情報処理端末は、上記第一着脱口に装着された外部メモリーから上記テンプレートを取得するテンプレート取得部を備えており、該テンプレート取得部の取得したテンプレートを上記表示部が表示する構成としてもよい。該構成におけるこのテンプレート取得部は、テンプレートサーバーから上記テンプレートを取得する上記テンプレート取得部と共通の構成であってもよいし異なる構成であってもよい。このような構成によれば、ネットワーク端末がテンプレートサーバーに接続可能でなくても、テンプレートを利用した設定値の設定が行えるようになる。
【００１４】
本発明は、他の機器に上記映像再生装置が組み込まれた状態で実施されたり他の方法とともに実施されたりする等の各種の態様を含む。
【発明の効果】
【００１５】
以上説明したように本発明によれば、増大・複雑化する設定項目の設定を、まとめて簡単に行える映像再生装置を提供することができる。
また請求項２にかかる発明によれば、設定値の中でも入力が特に煩雑なネットワーク設定に関する設定値の設定を、容易かつ迅速に行えるようになる。
また請求項３にかかる発明によれば、操作入力手段が低機能な映像再生機器に対しても簡単かつ迅速に設定値の設定が行えるようになる。
また請求項４にかかる発明によれば、増大・複雑化する設定項目の設定を、まとめて簡単に行える映像再生システムを提供することができる。
また請求項５にかかる発明によれば、テンプレートサーバー上のテンプレートを管理することで、最新のテンプレートを常に供給できるようになる。
また請求項６にかかる発明によれば、ネットワーク端末がテンプレートサーバーに接続可能でなくても、テンプレートを利用した設定値の設定が行えるようになる。
【図面の簡単な説明】
【００１６】
【図１】映像再生システムの構成を示すブロック図である。
【図２】映像再生システムを構成するＢＤプレーヤーの構成を示すブロック図である
【図３】映像再生システムを構成するネットワーク端末の構成を示すブロック図である。
【図４】設定値の設定作業の流れを示すフローチャートである。
【図５】来の映像再生機器における設定画面の一例である。
【発明を実施するための形態】
【００１７】
以下、下記の順序に従って本発明の実施形態を説明する。
（１）本実施形態の構成：
（２）設定値の設定作業：
（３）変形例：
（４）まとめ：
【００１８】
（１）本実施形態の構成： 
図１は本実施形態にかかる映像再生システムの構成を示すブロック図であり、図２は映像再生システムを構成するブルーレイディスクプレーヤー１０（ＢＤプレーヤー１０）の構成を示すブロック図であり、図３は映像再生システムを構成するネットワーク端末４０の構成を示すブロック図である。なお、これらの図においてはＢＤプレーヤー１０とコンテンツサーバー５０とを接続するネットワークＮＴと、ネットワーク端末４０とテンプレートサーバー３０とを接続するネットワークＮＴとを、同じネットワークとして記載してあるが、これらネットワークは同じネットワークであってもよいし、異なるネットワークであってもよい。
【００１９】
図１において、映像再生システム１００は、映像データに基づいて映像信号を再生する映像再生装置であるＢＤプレーヤー１０と、着脱可能な外部記憶媒体である外部メモリー２０と、ＢＤプレーヤー１０の各種設定に関する設定項目のテンプレートを供給するテンプレートサーバー３０と、テンプレートサーバー３０と通信可能なネットワーク端末４０と、所定の通信回線を通じてＢＤプレーヤー１０に映像データを供給するコンテンツサーバー５０と、を備えている。なお、本実施形態ではＢＤプレーヤーを例にとって説明するが、映像再生装置はこれに限るものではなく、記録機能を備えたレコーダーであってもよいし、ＤＶＤやＣＤやハードディスクが記録媒体であってもよいし、テレビジョン装置であってもよい。むろん、これらのコンボ機であってもよい。
【００２０】
コンテンツサーバー５０は、インターネットやイントラネット等で構成されるネットワークＮＴを介してテレビ番組やビデオ作品や音楽データ等のコンテンツ（映像データや音声データ）の配信サービスを提供するサーバーであり、複数のコンテンツデータを蓄積した記憶媒体５１と、コンテンツデータを配信するコンテンツ配信部５２とを備えている。コンテンツ配信部５２は、ネットワークＮＴに接続された他のネットワーク機器からコンテンツデータを要求されると、要求されたコンテンツデータを記憶媒体５１から読み出して要求元に送信する。なお、コンテンツ配信部５２は、コンテンツサーバー５０の備えるＣＰＵやＲＡＭやＲＯＭで構成される制御部において実行されるプログラムによって実現することができる。むろん、カスタムＩＣで実現しても構わない。
【００２１】
テンプレートサーバー３０は、インターネットやイントラネット等で構成されるネットワークＮＴを介して設定項目テンプレートを配信するサービスを提供するサーバーであり、複数の設定項目テンプレートＴＰを記憶する記憶媒体３１と、設定項目テンプレートＴＰを配信するテンプレート配信部３２とを備えている。設定項目テンプレートＴＰは、映像再生装置の各種設定値を一覧にしたデータであり、それぞれの設定テンプレートＴＰは異なる映像再生装置に対応している。また、設定項目テンプレートＴＰは、例えばＨＴＭＬ（HyperText Markup Language）データのフォームやテキストデータで構成することが出来る。ＨＴＭＬで構成する場合は、チェックボックスやインプットボックスやフォーム等により各設定項目の設定値を複数の選択肢のなかから選択形式で選択できるようにすることができる。むろんテンプレート配信部３２は、設定項目テンプレートの表示とテンプレートに対する設定を受付ける専用のアプリケーションを配信してもよい。なお、テンプレート配信部３２は、テンプレートサーバー３０の備えるＣＰＵやＲＡＭやＲＯＭで構成される制御部において実行されるプログラムによって実現することができる。むろん、カスタムＩＣで実現しても構わない。
【００２２】
図２に示すように、ＢＤプレーヤー１０は、ＢＤプレーヤー１０の全体を制御する制御部１１と、ＢＤプレーヤー１０の各種設定値を格納する記憶媒体である設定値格納部１２と、外部メモリー２０の着脱口１３と、他の外部映像再生機器と接続するための外部機器インターフェース１４（外部機器Ｉ／Ｆ１４）と、第一ディスク読取部１５と、第二ディスク読取部１６と、映像データにもとづいて映像信号を作成して映像表示装置に出力する映像再生部１７と、ＢＤプレーヤー１０に対する各種の操作入力をユーザーから受付ける操作入力部１８と、を備えている。なお、着脱口１３は本実施形態において第二着脱口を構成する。
【００２３】
第一ディスク読取部１５と第二ディスク読取部１６は、ディスクトレイに載置されたりディスクスロットに挿入されたＤＶＤやＣＤから映像データや音声データを読取る。第一ディスク読取部１５は、赤色レーザーを用いてＤＶＤやＣＤに記録された映像データや音声データを読取り、第二ディスク読取部１６は、青色レーザーを用いてＤＶＤやＣＤに記録された映像データや音声データを読取る。再生された映像データは映像再生部１７に出力され、音声データは不図示の音声再生部に出力されて音声信号が再生される。すなわち、ＢＤプレーヤー１０は、異なる波長の２種類の光源と、これら光源のディスク面での反射光を検出するピックアップ装置とを備えている。その他、該反射光の読取エラー信号に基づいて駆動信号を生成するサーボ回路や、該駆動信号に基づいて光ディスクの回転やピックアップ装置の駆動を行うドライバー回路等も備えている。なお、これらのディスク読取部の構成要素は、光源を除いて第一ディスク読取部１５と第二ディスク読取部１６とで共通化してもよいし、それぞれに用意されてもよい。
【００２４】
制御部１１は、ＣＰＵとＲＡＭとＲＯＭとを備えており、ＲＡＭをワークエリアとして利用しつつＲＯＭに記憶されたプログラムをＣＰＵが実行することにより、コンテンツ取得部Ｍ１、設定適用部Ｍ２、ディスクドライブ制御部Ｍ３、パレンタルロック部Ｍ４、外部機器制御部Ｍ５、音声制御部Ｍ６、ＯＳＤ部Ｍ７等の機能を実現する。むろん、制御部１１は、ＡＳＩＣ（Application Specific Integrated Circuit）などの専用のカスタムＩＣで実現することもできる。
【００２５】
コンテンツ取得部Ｍ１は、ユーザーが操作入力部１８を介して行うコンテンツデータの取得指示や再生指示に基づいて、コンテンツサーバー５０と通信を行ってコンテンツデータを取得する。そして、取得したコンテンツデータの映像データは映像再生部１７に出力し、音声データは不図示の音声再生部に出力されて音声信号が再生される。コンテンツ取得部Ｍ１は、コンテンツサーバー５０との通信を行うにあたり、設定値格納部１２からコンテンツサーバー５０や所定のプロキシサーバーのＩＰアドレスもしくはドメイン名に関する設定値を取得し、設定値に基づいてコンテンツサーバー５０との通信を行う。このＩＰアドレスやドメイン名が本実施形態においてコンテンツサーバー５０の所在を示す情報を構成する。
【００２６】
設定適用部Ｍ２は、着脱口１３に接続されている外部メモリー２０から設定ファイルＳＦを読取って取得し、設定ファイルＳＦに登録されている各種設定値を設定値格納部１２の所定の記憶領域にそれぞれ格納する。
このとき使用される外部メモリー２０は、データを読書き可能な記憶媒体を備えたＵＳＢメモリーやメモリーカード等で構成することができる。外部メモリー２０をＢＤプレーヤー１０やネットワーク端末４０等の機器の着脱口に接続すると、例えばＵＳＢマスストレージクラスなど所定のプロトコルに従って機器と外部メモリー２０との間に接続が確立され、これらの機器は外部メモリー２０の記憶媒体に対する読書きができるようになる。むろん、外部メモリー２０は外付けのハードディスク装置、フレキシブルディスク、光ディスクなどで構成することもできる。なお、外部メモリー２０として光ディスクを利用する場合は、第一ディスク読取部１５や第二ディスク読取部１６介して読書きを行ってもよい。
【００２７】
ディスクドライブ制御部Ｍ３は、操作入力部１８に対してユーザーが行うディスク挿入／排出やディスク再生／早送り／巻き戻し等の操作入力に基づいて各ディスク読取部を制御することにより、ＤＶＤやＣＤに記録されている映像データや音声データを取得し、映像データを映像再生部１７に出力し、音声データを不図示の音声再生部に出力する。
【００２８】
パレンタルロック部Ｍ４は、映像データの視聴制限の度合を示す視聴ランクを該映像データから取得し、この視聴ランクに基づいて映像や音声の視聴制限を実行する。このとき、パレンタルロック部Ｍ４は、設定値格納部１２からパレンタルロックに関する設定値を取得し、該設定値の示す視聴制限の度合が映像データから取得された視聴ランクの視聴を許容する場合は映像や音声の出力を許可し、該設定値の示す視聴制限の度合が映像データから取得された視聴ランクの視聴を禁止もしくは制限している場合は映像や音声の出力を禁止もしくは制限する。
【００２９】
外部機器制御部Ｍ５は、操作入力部１８に対してユーザーが行う外部映像再生機器からの映像データや音声データの取得や外部機器との連携を指示する操作入力に基づいて外部映像再生機器と通信することにより、外部映像再生機器から映像データや音声データを取得し、映像再生部１７に出力する。外部映像再生機器は、例えばＨＤＭＩ（High Definition Multimedia Interface）やＤＶＩ（Digital Visual Interface）等のように相互通信可能なインターフェースで接続されているものとする。外部機器制御部Ｍ５は、外部映像再生機器と通信するにあたり、設定値格納部１２から外部映像再生機器から取得する映像の解像度に関する設定値を取得し、設定値に対応する映像を出力するように外部映像再生機器に要求する。
【００３０】
音声制御部Ｍ６は、不図示の音声再生部におけるトーン調整等の音質やスピーカ出力の設定、音量などを制御する。音声制御部Ｍ６は、これらの制御を行うに当り、設定値格納部１２から音声に関する設定値を取得し、設定値に基づいてこれらの制御を行う。
【００３１】
ＯＳＤ部Ｍ７は、映像再生部１７の再生した映像信号にオンスクリーンディスプレイ信号を重畳する。このとき、ＯＳＤ部Ｍ７は設定値格納部１２からＯＳＤの表示言語に関する設定値を取得し、設定値に応じた言語のオンスクリーンディスプレイ信号を映像信号に重畳する。
【００３２】
図３において、ネットワーク端末４０は、例えばパーソナルコンピューターや携帯通信端末（携帯電話、ＰＨＳ、ＰＤＡ等）で構成されており、ネットワーク端末４０に対する各種操作入力をユーザーから受付ける操作入力部４５と、テンプレートサーバー３０から設定項目テンプレートＴＰを取得するテンプレート取得部４１と、設定項目テンプレートＴＰの設定画面を表示する表示部４４と、設定ファイルＳＦを作成する設定ファイル作成部４２と、外部メモリー２０の着脱口４３と、を備えている。テンプレート取得部４１と設定ファイル作成部４２は、ネットワーク端末４０の備えるＣＰＵやＲＡＭやＲＯＭで構成される制御部において実行されるプログラムによって実現することができる。むろん、カスタムＩＣ等で実現しても構わない。なお、ネットワーク端末４０が本実施形態において情報処理端末を構成し、着脱口４３が本実施形態において第一着脱口を構成する。
【００３３】
テンプレート取得部４１は、操作入力部４５に対してユーザーが行う設定項目テンプレートＴＰの取得指示に基づいて、テンプレートサーバー３０から設定項目テンプレートＴＰを取得する。
【００３４】
設定ファイル作成部４２は、設定項目テンプレートＴＰを表示部４４に表示しつつ設定項目テンプレートＴＰに対する設定変更を行うユーザーの操作入力を操作入力部４５から受付けるとともに、ユーザーが設定変更を完了して設定ファイルＳＦの作成を指示する操作入力を行うと、設定ファイルＳＦを作成して外部メモリー２０に記憶させる。設定ファイルＳＦは、設定項目テンプレートＴＰに設定された各種設定項目に関する設定値の一覧が所定のフォーマットで記憶されたファイルである。また、設定ファイルＳＦは、特定の拡張子などの識別子を有している。
【００３５】
なお、ネットワーク端末４０における操作入力部４５は、ＢＤプレーヤー１０の操作入力部１８に比べて多様な数字や文字の入力ができるようになっている。例えば、ＢＤプレーヤー１０は、接続された表示装置の画面に数字や文字の一覧を表示し、操作入力部１８のカーソル移動キー及びカーソル決定キーを駆使して数字や文字入力を行うようになっているのに対し、ネットワーク端末４０は、操作入力部４５がフルキーボードで構成されていたり、ユーザーの入力する文字列や数字列の予測変換機能や予測補完機能などを備えていたりする。したがって、ＢＤプレーヤー１０の操作入力部１８を介して数字や文字を入力するのに比べて、ネットワーク端末４０の操作入力部１８を介した入力は、はるかに快適な入力環境が整っている。
【００３６】
（２）設定値の設定作業： 
以上の構成において、外部メモリー２０とネットワーク端末４０とテンプレートサーバー３０とを利用して実行されるＢＤプレーヤー１０の設定値の設定作業について、図４を参照して説明する。図４は、設定値の設定作業の流れを示すフローチャートである。同図に示す作業は、ＢＤプレーヤー１０のユーザーやメンテナンス等を行う作業員によって実行される。以下の説明では、ユーザーが設定値の設定作業を実行する場合を例にとって説明する。
【００３７】
作業が開始されると、ユーザーは外部メモリー２０をネットワーク端末４０の着脱口４３に接続する（Ｓ１００）。すると、ネットワーク端末４０から外部メモリー２０に対するデータの読書きが出来るようになる。次に、ユーザーは、操作入力部４５に所定の操作を行うことにより、テンプレート取得部４１にテンプレートサーバー３０から設定項目テンプレートＴＰを取得させる（Ｓ１１０）。すると、設定ファイル作成部４２が設定項目テンプレートＴＰを取得し、設定項目テンプレートＴＰの設定画面を表示部４４に表示する。
【００３８】
ユーザーは設定項目テンプレートＴＰの設定画面を見ながら操作入力部４５を操作して、設定ファイルＳＦを作成する作業を行う（Ｓ１２０）。この間、設定ファイル作成部４２は、ユーザーの操作に伴って設定項目テンプレートＴＰの設定画面を変更して表示する。ユーザーは設定項目テンプレートＴＰの各設定項目に関する設定値を設定して行き、設定が終了すると設定ファイルＳＦの作成を指示する操作入力を操作入力部４５に行う。すると、設定ファイル作成部４２は、設定項目テンプレートＴＰの各設定項目に対して設定された設定値を取得し、取得した設定値を書込んだ設定ファイルＳＦを作成して外部メモリー２０に書きこむ（Ｓ１３０）。
【００３９】
書込みが終了すると、ユーザーは外部メモリー２０をネットワーク端末４０から取り外し、ＢＤプレーヤー１０の着脱口１３に接続する（Ｓ１４０）。すると、ＢＤプレーヤー１０の設定適用部Ｍ２が外部メモリー２０の接続を検出し、拡張子などに基づいて外部メモリー２０に設定ファイルＳＦが記憶されているかを確認する。設定ファイルＳＦが記憶されていれば、設定適用部Ｍ２は設定ファイルを取得し、設定ファイルに記録されている各種設定値を取得して設定値格納部１２の所定のエリアに書きこむ。すると、ＢＤプレーヤー１０は、設定値格納部１２に更新された設定値に基づいて以降の動作を行うことになる。すなわち、煩雑な操作をＢＤプレーヤー１０で行うことなく、ＢＤプレーヤーの設定値の設定が完了する。
【００４０】
むろん、外部メモリー２０に記憶された設定ファイルＳＦに基づいて行う設定値の更新は、ＢＤプレーヤー１０で設定ファイルＳＦの適用を指示する所定の操作が行われてから実行されてもよい。例えば、ＢＤプレーヤー１０の設定を行うメニュー画面に、外部メモリー２０に記憶された設定ファイルＳＦに基づいて設定値を適用させるための設定項目を設けて、操作入力部１８を介してこの設定項目の実行が指示されてから設定値の更新を行うようにしてもよい。このようにすると、誤って古い設定ファイルＳＦで設定値を更新してしまったりするミスを防止できる。むろん、いったん設定が完了した設定ファイルは、ＢＤプレーヤー１０の制御部１１が外部メモリー２０から削除するようにしてもよい。
【００４１】
（３）変形例： 
上述した実施形態では、ネットワーク端末４０がテンプレートサーバー３０に記憶されている設定項目テンプレートＴＰを取得する場合を例にとって説明したが、設定項目テンプレートＴＰは他の機器や記憶媒体に記憶されているものを利用しても構わない。例えば、ＢＤプレーヤー１０の記憶媒体に出荷時に予め記憶されていてもよい。
【００４２】
この場合、ＢＤプレーヤー１０の制御部１１は、記憶媒体に記憶されている設定項目テンプレートＴＰを外部メモリー２０に記憶させる不図示のテンプレート保存部Ｍ８を備える。テンプレート保存部Ｍ８は、ＢＤプレーヤー１０の設定メニュー画面等でテンプレート保存などの設定項目が選択されたときに、記憶媒体に記憶されている設定項目テンプレートＴＰを取得して外部メモリー２０に記憶させる。そして、ユーザーは外部メモリー２０をネットワーク端末４０に接続し、図４のステップＳ１２０〜Ｓ１４０の作業を実行する。
【００４３】
このとき、テンプレート取得部４１は着脱口４３に装着された外部メモリー２０に記憶されている設定項目テンプレートＴＰを取得し、設定ファイル作成部４２は外部メモリー２０から取得した設定項目テンプレートＴＰを表示部４４に表示する。そして、各設定項目に対する設定が完了すると、設定ファイル作成部設定ファイルＳＦを外部メモリー２０に記憶させ、再び外部メモリー２０をＢＤプレーヤー１０に接続し、設定適用部Ｍ２に設定値の設定を行わせることになる。
【００４４】
この他、他の着脱式の記憶媒体に記憶されている設定項目テンプレートＴＰをネットワーク端末４０の読取装置で読取って、この設定項目テンプレートＴＰを利用して図４のステップＳ１２０〜Ｓ１４０の設定作成作業を行うようにしても構わない。このようにすると、予めネットワーク端末４０に設定項目テンプレートＴＰが記憶されている状態で、設定値の設定作業を開始することができる。
【００４５】
（４）まとめ： 
以上説明した実施形態によれば、映像データに基づいて映像信号を再生するＢＤプレーヤー１０において、外部メモリー２０を着脱可能な着脱口１３と、着脱口１３に装着された外部メモリー２０に記憶された設定ファイルＳＦに登録されている映像再生に関する複数の設定値をＢＤプレーヤー１０に設定する設定適用部Ｍ２と、上記設定値に基づいてＢＤプレーヤー１０の映像再生を制御する制御部１１と、を備えるようにしてある。よって、増大・複雑化する設定項目の設定を、まとめて簡単に行えるようになる。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４７】
１０…ブルーレイディスクプレーヤー（ＢＤプレーヤー）、１１…制御部、１２…設定値格納部、１３…着脱口、１４…外部機器インターフェース（外部機器Ｉ／Ｆ）、１５…第一ディスク読取部、１６…第二ディスク読取部、１７…映像再生部、１８…操作入力部、２０…外部メモリー、３０…テンプレートサーバー、３１…記憶媒体、３２…テンプレート配信部、４０…ネットワーク端末、４１…テンプレート取得部、４２…設定ファイル作成部、４３…着脱口、４４…表示部、４５…操作入力部、５０…コンテンツサーバー、５１…記憶媒体、５２…コンテンツ配信部、１００…映像再生システム、Ｍ１…コンテンツ取得部、Ｍ２…設定適用部、Ｍ３…ディスクドライブ制御部、Ｍ４…パレンタルロック部、Ｍ５…外部機器制御部、Ｍ６…音声制御部、Ｍ７…ＯＳＤ部、ＮＴ…ネットワーク、ＳＦ…設定ファイル、ＴＰ…設定項目テンプレート
【図１】
2011114412.tif 000003
【図２】
2011114412.tif 000004
【図３】
2011114412.tif 000005
【図４】
2011114412.tif 000006
【図５】
2011114412.tif 000007